(57)【要約】【課題】口腔吸引用等の医療用チューブの内部に温水を通すことによって洗浄する装置であって、多数本の医療用チューブを洗浄する際の作業効率を向上させることで洗浄の手間を軽減させ、医療用チューブの繰り返し使用を容易にする。【解決手段】少なくとも一端に僅かながら大径の連結具３が設けられたフレキシブルな医療用チューブ１を複数本まとめて洗浄するための装置であって、前記連結具が複数個収容できる容積を有したアダプト容器１１を温水および温風が圧送される配管９に連結するとともに、該アダプト容器に着脱自在に被せられる蓋体１３に弾性キャップ１５を設け、該弾性キャップに複数本の医療用チューブを挿通し得る透孔１６を形成してなる。【選択図】  図２
2005013511.tif 000002
【特許請求の範囲】
【請求項１】
少なくとも一端に僅かながら大径の連結具が設けられたフレキシブルな医療用チューブを複数本まとめて洗浄するための装置であって、前記連結具が複数個収容できる容積を有したアダプト容器を温水および温風が圧送される配管に連結するとともに、該アダプト容器に着脱自在に被せられる蓋体に弾性キャップを設け、該弾性キャップに複数本の医療用チューブを挿通し得る透孔を形成してなることを特徴とした医療用チューブ洗浄装置。
【発明の詳細な説明】
【０００１】
【発明の属する技術分野】
本発明は、口腔吸引用、その他の医療用として使用されるフレキシブルな医療用チューブの内部に温水を通すことによって洗浄する装置に関するものである。
【０００２】
【従来の技術】
図１に示したような口腔吸引用として使用されるビニルチューブ、シリコンチューブ（内径３〜４ｍｍ，外径５〜６ｍｍ）等のフレキシブルな医療用チューブは、従来では衛生上の観点から使い捨てであったり、或いは、洗浄装置にセットしてチューブ内に温水を通し、洗浄・殺菌し、繰り返し使用されてきた。
【０００３】
【特許文献１】
特開２００１−２５９０００号公報
【特許文献２】
特開２００２−６５６０６号公報
【０００４】
なお、上記特許文献１および特許文献２に示されたように、高圧水，無菌温風等により医療機器を洗浄消毒する装置は従来から知られている。
【０００５】
【発明が解決しようとする課題】
ところで、上記医療用チューブについて使い捨てとする場合は、資源の無駄となり医療廃棄物を増大させるなどの問題がある。しかし従来の洗浄装置による医療用チューブの洗浄は、１本ずつを給湯用の配管に連結しなければならなかったので、手間が掛かり面倒であり、一度に何本も洗浄できないので効率が悪いものであった。このため、口腔吸引用チューブの場合は殆どの医療機関で使い捨てにされているのが現状であった。
【０００６】
そこで本発明は、口腔吸引用等の医療用チューブを複数本まとめて洗浄することのできる洗浄装置を提供することにより、洗浄の手間を軽減し、医療用チューブの繰り返し使用が促進されるようにするものである。
【０００７】
【課題を解決するための手段】
そのために本発明に係る医療用チューブ洗浄装置は、少なくとも一端に僅かながら大径の連結具が設けられたフレキシブルな医療用チューブを複数本まとめて洗浄するための装置であって、前記連結具が複数個収容できる容積を有したアダプト容器を温水および温風が圧送される配管に連結するとともに、該アダプト容器に着脱自在に被せられる蓋体に弾性キャップを設け、該弾性キャップに複数本の医療用チューブを挿通し得る透孔を形成してなることを特徴とする。
【０００８】
【発明の実施の形態】
次に本発明に係る洗浄装置の実施の形態を図１に示した口腔吸引用チューブを例として説明する。この医療用チューブ１は、ビニル，シリコン樹脂等からなるフレキシブルチューブ２の一端に吸引装置（図示せず）に連結するための硬質プラスチック製の連結具３を固着した全長４０センチ程度のものである。
【０００９】
図２は上記医療用チューブ１、或いは、手術用具，麻酔器具，鋼製小物等の医療用器具８を洗浄・消毒するため病院に備え付けられるウォッシャーディスインフェクターを例示するもので、洗浄室４のドア５を開けることにより該洗浄室内にトロリー６を装入できるように構成され、該洗浄室の天井部、および床下部に回転ノズル式の洗浄水散布装置７が設けられている。そしてプログラム工程に従って該トロリー６内の医療用器具８に温水をジェット噴射し洗浄した後、該洗浄室内に温風を循環させて乾燥・消毒する。
【００１０】
９は上記トロリー６に設けられた給湯，給気用の配管で、該配管の分枝口１０に筒状のアダプト容器１１の底部を連結する。該アダプト容器１１は前記医療用チューブ１の連結具３が複数個収容できる容積を有している。そして図３に示したように該アダプト容器の上端開口縁の外周にネジ溝１２が形成されている。１３は該アダプト容器に着脱自在に被せられる蓋体で、該蓋体は環状体１４にドーム形の弾性キャップ１５を内填し、該弾性キャップに透孔１６を形成してなる。そして該環状体１４の内周面に前記ネジ溝１２と螺合し得るネジ溝１７が形成されている。なお、この蓋体１３は、従来から哺乳瓶の乳首として使用されている周知のものに、適宜大きさの透孔１６を開設することにより簡単に製作することができる。
【００１１】
使用済みの上記医療用チューブ１を洗浄するに際しては、図４に示したように、該透孔１６に連結具３が内側となるように該医療用チューブ１を複数本（数本乃至数十本）挿通し、該蓋体１３をアダプト容器１１の上端開口縁に被せることにより、図５，図６に示したように、該連結具３を該アダプト容器内に収容し、環状体１４をネジ溝１２に螺着させ密閉する。そして、このトロリー６を上記洗浄室４に装入し、洗浄水散布装置７より温水を散布すると同時に、配管９を通してアダプト容器１１内に温水を圧送することにより、その温水が複数の連結具３の中を通って各医療用チューブ１内に流れ該各医療用チューブの内面が洗浄されるようにする。
【００１２】
こうして医療用チューブ１の内面および外面が温水によって洗浄された後はプログラム工程に従い温水に代わって温風が該配管９より圧送され、該温風が該各医療用チューブ１内に送給されて該各医療用チューブの内面を乾燥させるとともに、高温度により殺菌・消毒がなされる。
【００１３】
この医療用チューブ１は、連結具３の外径がフレキシブルチューブ２の外径より僅かながら大きいことから、上記のように複数本をセットすれば、該連結具３が弾性キャップ１５の内面に当たることで、水圧が掛かっても該連結具３が透孔１６から抜脱するおそれはなく、各医療用チューブ１内に同時に温水が導かれ、複数本の医療用チューブの内面を確実に洗浄できる。
また、適宜本数の医療用チューブを透孔１６に挿通することにより該弾性キャップ１５の弾性により該透孔１６の内周縁をフレキシブルチューブ２の外周に密着させられ、温水，温風が洩出する隙間を最小限にすることができる。なお、チューブ間の隙間から洩れる温水により該チューブの外周面も洗浄される。
【００１４】
また、本発明はこの実施形態に示した口腔吸引用チューブの他、薬液用チューブ、気管挿入用チューブ等、種々の医療用チューブを洗浄するのに使用できる。なお、チューブを洗浄しないときは、上記蓋体１３に代えてメクラ蓋をアダプト容器１１に被せることで温水等の流出が止められる。
【００１５】
【発明の効果】
このように本発明に係る医療用チューブ洗浄装置によれば、複数本の医療用チューブをまとめて洗浄することができるので、従来のように一本ずつ配管に連結するのと異なり作業効率が格段に向上する。このため、洗浄の手間が大幅に軽減され、医療用チューブの繰り返し使用を促進させる有益な効果がある。
【図面の簡単な説明】
【図１】本発明の実施形態である医療用チューブの外観斜視図。
【図２】本発明の実施形態であるウォッシャーディスインフェクターの部分断面側面図。
【図３】本発明の実施形態を示すアダプト容器と蓋体の斜視図。
【図４】図３の蓋体に医療用チューブを挿通したときの斜視図。
【図５】本発明の実施形態である医療用チューブ洗浄装置の使用状態を示した斜視図。
【図６】本発明の実施形態である医療用チューブ洗浄装置の使用状態を示した縦断面図。
【符号の説明】
１      医療用チューブ
２      フレキシブルチューブ
３      連結具
４      洗浄室
６      トロリー
７      洗浄水散布装置
９      配管
１０    分枝口
１１    アダプト容器
１３    蓋体
１５    弾性キャップ
１６    透孔
【図１】
2005013511.tif 000003
【図２】
2005013511.tif 000004
【図３】
2005013511.tif 000005
【図４】
2005013511.tif 000006
【図５】
2005013511.tif 000007
【図６】
2005013511.tif 000008